(57)【要約】【課題】落葉や小枝や剪定ごみ等の樹木屑をごみ袋に入れる場合、掃き寄せたごみをいったん塵取りもしくは箕などで掬いとり、これを袋の口をあけて落とし込むという一人仕事は困難な作業を、一人で簡単に行える作業に転換するごみ袋保持具を提供する。【解決手段】ごみ袋の中に挿入してごみ袋の内部側壁面全体を保護出来る長さを持つ両端開放構造の筒に、抜きテーパーを持たせ、ごみ袋を保持すると共に該筒にごみ収納操作をするための取っ手を設けた、ごみ袋の内部に挿入して内部側壁面全体を保護することを主要な特徴とする樹木ごみ用ごみ袋保持具が問題点を解決する。【選択図】  図１
2017124930.tif 000002
【特許請求の範囲】
【請求項１】
ごみ袋の中に挿入してごみ袋の内部側壁面全体を保護出来る長さを有する両端開放構造の筒に、ごみ袋底面部側となる該筒の筒径をごみ袋の内径に近く且つごみ袋の中に挿入し得る大きさの寸法とし、ごみを入れるごみ袋正面開口部側となる該筒の筒径をごみ袋底面部側となる該筒の筒径より小さい寸法とするテーパーを持たせ、更に、該筒をごみ袋に挿入した時に、ごみ袋を握り押さえて該筒に保持すると共に、該筒を手に持ちごみ収納操作を行うことに兼用する取っ手を設けた、ごみ袋に挿入してごみ袋の内部側壁面全体の保護をすることを主要な特徴とする樹木ごみ用ごみ袋保持具。
【請求項２】
ごみ袋の中に挿入してごみ袋の内部側壁面全体を保護出来る長さを有する両端開放構造の筒に、ごみ袋底面部側となる該筒の筒径をごみ袋の内径に近く且つごみ袋の中に挿入し得る大きさの寸法とし、ごみを入れるごみ袋正面開口部側となる該筒の筒径をごみ袋底面部側となる該筒の筒径より小さい寸法とするテーパーを持たせ、更に、該筒をごみ袋に挿入した時に、ごみ袋を握り押さえて該筒に保持すると共に、該筒を手に持ちごみ収納操作を行うことに兼用する取っ手を設けた、ごみ袋に挿入してごみ袋の内部側壁面全体の保護をすることを主要な特徴とする樹木ごみ用ごみ袋保持具であって、該筒の外部側壁面に多数の突起を設けた特徴も有する濡れ貼り付防止突起付樹木ごみ用ごみ袋保持具。
【発明の詳細な説明】
【技術分野】
【０００１】
本発明は、樹木の剪定くずや小枝はじめ落葉などをごみ袋に効率的に収納することのできる樹木ごみ用ごみ袋保持具を提供する。
【背景技術】
【０００２】
従来、樹木の剪定くずや小枝はじめ落葉などの樹木ごみをごみ袋に入れるという樹木ごみの収納作業においては、箒や熊手などで掃き寄せた後、塵取りもしくは箕などで掬いとり、これをごみ袋の口をあけて落とし込むという作業を行っている。
この方法は、ごみを塵取りに取る作業と、袋の口をあける作業、及び  あけた袋の口にこぼさず箕で掬い取ったごみを落とし込む作業とを必要とし、風速によっては作業に障害が生ずるなど微妙な技術経験を要する煩わしい作業である。
動力化されて容易となった伐採・整枝・剪定などの作業に比べ、大量の街路樹剪定屑や落ち葉などの樹木くず収納作業は多くの手間と労力を費やすものであった。
【０００３】
ごみ袋は薄いプラスティック系の材料のものが使用される事が多く、樹木くずに混在する小枝や木ぎれなどの尖鋭な端部を持つ剪定くずが袋に刺さって裂傷口を作って引っ掛かりこれが障害となって効率的な収納が出来ないという問題もある。
【先行技術文献】
【特許文献】
【０００４】
【特許文献１】特願2003-192511 （特開2005-27680）
【特許文献２】実願昭61-94085号（実開昭62-204560）
【発明の概要】
【発明が解決しようとする課題】
【０００５】
解決しようとする問題点は、樹木ごみの収納作業において、箕で掬いごみ袋の口を広げてごみをこぼさぬように口の中に落とし込む、という煩わしい作業に加えて、落ち葉に混ざった小枝や木ぎれなどの尖鋭端を持つ剪定くず等が袋に刺さって裂傷口を作って引っ掛かり、これが障害となって効率的な収納が出来ないという点である。
【課題を解決するための手段】
【０００６】
ごみ袋の中に挿入して、ごみ袋の内部側壁面全体を保護出来る長さを有する、両端開放構造の筒に、ごみ袋底面部側となる該筒の筒径をごみ袋の内径に近く且つごみ袋の中に挿入し得る大きさの寸法とし、ごみを入れるごみ袋正面開口部側の筒径をごみ袋底面部側となる筒の筒径より小さい寸法とすることで、ごみを満杯に詰めた後に、ごみを残してこの筒をごみ袋からひき抜く際の、詰めたごみと該筒の内壁面の間に生ずる摩擦抵抗を少なくするための抜きテーパーを持たせ、更に、該筒をごみ袋に挿入した時に、ごみ袋を握り押さえて該筒に保持すると共に、該筒を手に持ちごみ収納操作を行うことに兼用する取っ手を設けた、ごみ袋に挿入してごみ袋の内部側壁面全体の保護をすることを主要な特徴とする樹木ごみ用ごみ袋保持具（以下「本願保持具」と略称する）により問題点を解決する
【０００７】
又、雨天時において、ごみ袋の内部側壁面とごみ袋に挿入した本願保持具の外部側壁面との間に水が浸入し、水による濡れ貼り付き現象を起こして、本願保持具の抜き取り作業をする際の抜き取り摩擦が増大し抜き取りが困難になるという問題の防止を図る手段として、本願保持具の外部側壁面に多数の濡れ貼り付き防止用突起を設けることで雨天時の使用を可能とする特徴も有する。
【０００８】
又、多数の濡れ貼り付き防止用突起を代用する簡易な方法としては、本願保持具の外部側壁面に、網を被せる方法もある。
【発明の効果】
【０００９】
ごみ袋の中に挿入した、ごみ袋の内部側壁面全体を保護する両端開放で抜きテーパー付筒状構造の本願保持具により、箕で掬いごみ袋の口を広げてごみをこぼさぬように口の中に落とし込む、という従来の煩わしい作業が、ごみ袋を装着した本願保持具に、掃き寄せた樹木ごみを掻き込む作業だけで済み、加えて、樹木ごみに混入する小枝や木ぎれなどの尖鋭な端部を持つ剪定くずも、本願保持具の内壁が保護するので、ごみ袋に刺さって裂傷口を作る等の収納障害に対する心配が全く無くなり、ただ無心に掃き寄せたごみを掻き込むだけの作業となり、作業が楽しく効率の高い樹木ごみ収納作業が可能となった。
【００１０】
又雨天時等、本願保持具の外部側壁面と本願保持具を覆うごみ袋の内部側壁面との間に水が浸入することにより生ずる濡れ貼り付きによる本願保持具のひき抜き障害に対しても、本願保持具の外部側壁面に多数の突起を設けることで、水濡れ時における本願保持具の使用が可能となった。
これは、ごみ袋の内部側壁面と本願ごみ袋保持具の外部側壁面との間に入った雨水等で生ずる濡れ貼り付き現象が、ごみ袋素材の硬性により突起部周辺に非接着部分が生ずる効果により軽減されることと、更に、該本願保持具に被せたごみ袋の底部端末を足で踏み押さえてごみ袋内から該本願保持具の抜き取りを行うにあたっては、そのひき抜き力が、ごみ袋の底部と濡れ張り付個所との間に加わることで、突起部間のごみ袋素材に張力が加わってピンと張り、突起部間が直線平面となる力が生じて貼り付いたごみ袋を浮上させるという作用による効果によるものである。
多数の突起によるこの作用の合成で大きな濡れ張り付摩擦抵抗が生じることが軽減されて本願保持具の抜き取りが容易となり、水濡れ時における本願保持具の使用が可能となった。
【００１１】
本願のごみ袋保持具を使用すると樹木ごみ処理の作業も楽しいものに変わってくると言う効果もあり、都市郊外地域の落葉処理に悩んでの屋敷林の伐採を留めることや、街路樹の保守費用の削減効果も期待出来る。
【図面の簡単な説明】
【００１２】
【図１】図１は樹木ごみ用ごみ袋保持具の基本構造を示す左側面図である。        （実施例１）
【図２】図２は樹木ごみ用ごみ袋保持具にごみ袋を装着した左側面図である。    （実施例１）
【図３】図３は樹木ごみ用ごみ袋保持具の基本構造を示す正面図である。        （実施例１）
【図４】図４は樹木ごみ用ごみ袋保持具にごみ袋を装着した状態を示す正面図である。（実施例１）
【図５】図５は樹木ごみ用ごみ袋保持具の基本構造を示す背面図である。        （実施例１）
【図６】図６は樹木ごみ用ごみ袋保持具にごみ袋を装着した状態を示す背面図である。（実施例１）
【図７】図７は濡れ貼り付き防止突起付樹木ごみ用ごみ袋保持具の基本構造を示す左側面図である。（実施例２）
【図８】図８は濡れ貼り付き防止突起付樹木ごみ用ごみ袋保持具にごみ袋を装着した状態を示す左側面図である。（実施例２）
【図９】図９は濡れ貼り付き防止突起付樹木ごみ用ごみ袋保持具の基本構造を示す正面図である。（実施例２）
【図１０】図１０は濡れ貼り付き防止突起付樹木ごみ用ごみ袋保持具にごみ袋を装着した状態を示す正面図である。（実施例２）
【図１１】図１１は濡れ貼り付き防止突起付樹木ごみ用ごみ袋保持具の基本構造を示す背面図である。（実施例２）
【図１２】図１２は濡れ貼り付き防止突起付樹木ごみ用ごみ袋保持具にごみ袋を装着した状態を示す背面図である。（実施例２）
【発明を実施するための形態】
【００１３】
薄く柔らかなごみ袋素材の内壁全体を本考案の樹木ごみ用ごみ袋保持具の内壁が覆って保護する構造とすることで、箕で掬いごみ袋の口を広げてごみをこぼさぬように口の中に落とし込む、という作業や、小枝や木ぎれなどの尖鋭端を持つ剪定くず等が袋に刺さって裂傷口を作って引っ掛かり収納障害を引き起こす、などの煩わしい従来の作業を、掃き寄せた樹木ごみを掻き込むだけという簡単な作業に置き換えることを、低コストで実現することが出来た。
【００１４】
本願保持具は抜きテーパー付筒状の本体と、ごみ袋の保持とごみ収納操作の双方の用途に兼用する取っ手で構成したもので、本体にはごみ収納作業に耐える堅牢さと、ごみ袋に挿入する際の滑らかさを確保するためのフランジが設けてある。
本体は、ごみ袋の中に挿入してごみ袋の内部側壁面全体を保護出来る長さを持つ両端開放構造の筒に、ごみ袋底面部側となる該筒の筒径をごみ袋の内径に近く且つごみ袋の中に挿入し得る大きさの寸法としごみを入れるごみ袋正面開口部側となる該筒の筒径をごみ袋底面部側の筒径より小さな寸法とするテーパーを持たせてある。
又、本体にはごみ袋をこの筒に保持しながら該筒を手に持ちごみ収納操作を行うことに兼用することの出来る取っ手を設けてある。
【００１５】
テーパーは、ごみ袋内に挿入した該筒にごみを満杯に入れた後にごみをごみ袋内に残して、この該筒をひき抜く際に、詰め込まれたごみと該筒の内壁面間が引き抜くに連れて広がり、その摩擦抵抗を少なくするという効果がある。
【００１６】
実際のごみ収納作業手順の概略を説明する。
先ず、本願保持具の設計仕様に該当するごみ袋内に本願保持具を筒径の大きな側から挿入する。  具体的には、当該保持具の筒径の小さいごみ袋開口部側を下にして鉛直に置き、上部となった筒径の大きいごみ袋の底部側から所定のごみ袋を被せる。
ごみ袋を被せた本願保持具の取っ手をごみ袋の上から掴むことでごみ袋は本願保持具に保持される。
このごみ袋と共に掴んだ本願保持具の開口部側を掃き寄せた樹木ごみの山の端部に宛てて内部に掻き込み満杯とした後にこの筒をごみを残してごみ袋から抜き取りごみ袋の口締めをする。
【００１７】
このように構成したごみ袋の内部側壁面全体に挿入して保護することを主要な特徴とする樹木ごみ用ごみ袋保持具により問題点を解決した。
【００１８】
雨天時において、ごみ袋の中に挿入した本願保持具の外部側壁面とごみ袋の内部側壁面との間に水が浸入し、両者が水による濡れ貼り付き現象を起こして、ごみ袋からごみを残して本願保持具の抜き取り作業をする際の抜き取り摩擦が増大し、抜き取りが困難になるという問題の防止を図る手段として、筒状の本願樹木ごみ用ごみ袋保持具の外部側壁面に多数の突起を設けることで雨天時の使用を可能とすることが出来た。
【００１９】
多数の突起を代用する簡易な方法としては、樹木ごみ用ごみ袋保持具の外部側壁面に、網を被せる方法で濡れ貼り付きの防止をはかることも可能である。
【実施例１】
【００２０】
図１は、本考案の本願保持具の左側面図で、符号１が本願保持具のテーパー付の筒本体、符号２はごみ袋の握り押さえと筒本体の操作用を兼用する取っ手で、符号１０は筒本体補強のためのフランジである。
図２はごみ袋３に本願保持具を挿入した状態の左側面図で、符号５がごみ袋の底面側、符号４はごみ袋の開口部（正面）側である。
【００２１】
樹木ごみが既に掃き寄せられてごみの山が出来ていることを前提として、図２に於ける使用法を説明する。
作業者が取っ手２をごみ袋３の上から握ることでごみ袋３は本願保持具に保持される。
この状態で本願保持具の開口部側４を掃き寄せられた樹木ごみの山の端部に宛がってごみを開口部側４から内部に向けて掻き込む。
掻き込む方法は手作業を主とするが丈夫な小形熊手等の使用で掻き込み及び押し込みにまで作業を拡張することが可能である。
本願保持具の開口部迄樹木ごみが入りほぼ一杯になったら、いったんごみ袋を当該保持具とともにごみ袋の底部５側を下にして立て置きとし、保持具内部のごみを手又は足でごみ袋の底部側５に向かって押し込む。
これで一杯になったごみが圧縮されてほぼ半分以下の容積になるから、再度ごみの山からの掻き込みと、ごみ袋と共に当該保持具を立てての押し込みを繰り返し満杯とする。
【００２２】
満杯となった後、ごみ袋の底部端末を足で踏み押さえて、ごみ袋の中にごみを残しながら挿入した本願保持具を開口部側４即ち符号９の矢印方向に向かって抜き取る。
【００２３】
ごみ袋保持具を抜き取った後のごみ袋には満杯としたごみが残るが、本願保持具のテーパーにより開口部側の筒径が小さくなっている容積分ごみ袋に余裕が出来ており、この容積分のごみが底部に向かって収まるので、本願保持具抜き取り後のごみ袋開口部４側には、ごみの無いゆとり部分が生じ、これをごみ袋の口締めに使用することが出来る。
【実施例２】
【００２４】
図７は濡れ貼り付き防止用突起付の本願保持具の基本構造を示す左側面図で、符号７は突起部分の拡大図である。
図８はごみ袋３に濡れ貼り付き防止用突起付本願保持具を挿入した状態を示す左側面図で符号５がごみ袋の底面側、符号４はごみ袋の開口部（正面）側である。
符号７は突起部分の拡大図で符号８はごみ袋から本願保持具を引き抜く際、ごみ袋素材フィルムが引き抜き時の張力によりぴんと張って突起部間が浮き上がった状態を示しており符号９は本願保持具の引き抜き力方向を示す。
【００２５】
実施例２の使用法については実施例１と同じである。
【００２６】
実施例２に於ける、濡れ張り付防止突起の作用について図１、図７、及び図８により説明する。
【００２７】
図１の実施例１での作業においては、本願保持具（図１）の外部側壁面と本願保持具を覆うごみ袋の内部側壁面との間は平面で接触しており、この接触面に雨水等の浸入があると、隙間が水によって埋まり、濡れ貼り付き現象が生じてひき抜き摩擦が極度に増大し本願ごみ袋保持具の引き抜きが困難となる。
【００２８】
図７（実施例２）は図１（実施例１）の、ごみ袋の内部側壁面に接する本願ごみ袋保持具の外部側壁面に、多数の突起を設けた一例であり、生産上の便宜性を考慮した階段状突起が多数設けられている（図中の符号１）。  又、図７の符号７は、階段状突起の一部を拡大したものである。
【００２９】
雨天等に起因して、ごみ袋の内部側壁面と本願保持具の外部側壁面との間に水が浸入すると、濡れ貼り付き現象が生じるが、ごみ袋素材の硬性により突起部７の周辺には非接着部分が生ずる効果があり、広範囲にわたる全面接着は軽減される。
【００３０】
本願ごみ袋保持具を挿入したごみ袋がごみで満杯となった後、ごみ袋の底部端末を足で踏み押さえてごみ袋内から濡れ貼り付き防止突起付本願保持具を抜き取る際には、踏み押さえている底部と濡れ貼り付き個所との間に引き抜き力が加わって、突起部相互間ではこれによる張力により、ごみ袋素材がピンと張って直線平面となり貼り付いたごみ袋を浮上させ、多数の突起によるこの作用の合成で、大きな濡れ張り付摩擦抵抗が生じることが軽減されて本願保持具の抜き取りが容易となる。
【産業上の利用可能性】
【００３１】
本願保持具は都市近郊の失われつつある樹木の保全管理作業の効率化の必要性を身近に感じて考案したものであるが、樹木ごみ袋に限らず土嚢袋や除染袋など広範囲に用途を広げることが可能である。
【符号の説明】
【００３２】
１  樹木ごみ用ごみ袋保持具の抜きテーパー付中空筒状の本体
２  樹木ごみ用ごみ袋保持具の抜きテーパー付中空筒状の本体に付属するごみ袋の保持と保持具の操作を兼用する取っ手
３  樹木ごみ用ごみ袋保持具に装着したごみ袋
４  樹木ごみ用ごみ袋保持具に装着したごみ袋の開口部側で保持具の正面側
５  樹木ごみ用ごみ袋保持具に装着したごみ袋の底面部側で保持具の背面側
６  樹木ごみ用ごみ袋保持具に装着したごみ袋の底面部で保持具の背面側
７  濡れ張り付防止突起の１例で階段状突起の拡大図
８  濡れたごみ袋内から本願保持具を抜き出す力でピンと張った突起間のごみ袋素材。
９  ごみ袋内から本願保持具を抜き出す力の方向を示す。
１０  符号１に付帯する本体の補強とごみ袋挿入時の円滑性確保のためのフランジ。
【図１】
2017124930.tif 000003
【図２】
2017124930.tif 000004
【図３】
2017124930.tif 000005
【図４】
2017124930.tif 000006
【図５】
2017124930.tif 000007
【図６】
2017124930.tif 000008
【図７】
2017124930.tif 000009
【図８】
2017124930.tif 000010
【図９】
2017124930.tif 000011
【図１０】
2017124930.tif 000012
【図１１】
2017124930.tif 000013
【図１２】
2017124930.tif 000014